(57)【要約】【課題】昇降式足場の作業床を折り畳むことによって一般建築物内の扉の幅の通り抜けやエレベーターへの積載ができ、そして、作業台への２人以上の作業員の搭乗ができる昇降式移動足場を提供する。【解決手段】接地面に車輪を備えるとともに所定場所に移動かつ固定可能な矩形の基台フレームと、複数段の昇降自在な水平フレームと作業床からなる昇降式移動足場であって、作業床は水平の本体部と本体部の側方に設けられた１個又は複数個の拡幅部からなり、拡幅部は本体部に対して上方にのみ回動可能に接続されるとともに、当て材が拡幅部の基部の下部に設置されていることを特徴とする昇降式移動足場。【選択図】図５
2008214983.tif 000002
【特許請求の範囲】
【請求項１】
接地面に車輪を備えるとともに所定場所に移動かつ固定可能な矩形の基台フレームと、複数段の昇降自在な水平フレームと作業床からなる昇降式移動足場であって、作業床は水平の本体部と本体部の側方に設けられた１個又は複数個の拡幅部からなり、拡幅部は本体部に対して上方にのみ回動可能に接続されるとともに、当て材が拡幅部の基部の下部に設置されていることを特徴とする昇降式移動足場。
【請求項２】
作業床の拡幅部を外側に回動して本体部と拡幅部からなる作業床に展開する際に、拡幅部の基部の下部に設けられた当て材が作業床の本体部の側面又は底面にあたることによって、作業床の拡幅部が本体部と同一の水平面になったときに拡幅部の回動が停止されることを特徴とする、請求項１に記載の昇降式移動足場。
【請求項３】
接地面に車輪を備えるとともに所定場所に移動かつ固定可能な矩形の基台フレームと、複数段の昇降自在な水平フレームと作業床からなる昇降式移動足場であって、作業床は水平の本体部と本体部の側方に設けられた１個又は複数個の拡幅部からなり、拡幅部は本体部に対して上方にのみ回動可能に接続されるとともに、当て材が作業床の本体部の側面に設置されていることを特徴とする昇降式移動足場。
【請求項４】
作業床の拡幅部を外側に回動して本体部と拡幅部からなる作業床に展開する際に、作業床の本体部の側面に設置された当て材が作業床の拡幅部の側面又は底面にあたることによって、作業床の拡幅部が本体部と同一の水平面になったときに拡幅部の回動が停止されることを特徴とする、請求項３に記載の昇降式移動足場。
【請求項５】
作業床の拡幅部を内側に回動して本体部の側に折り畳んだときに、拡幅部の全体が本体部の上に収納されることを特徴とする、請求項１から４までのいずれかに記載の昇降式移動足場。
【請求項６】
作業床の拡幅部の回動可能な角度が最大１８０゜であることを特徴とする、請求項５に記載の昇降式移動足場。
【発明の詳細な説明】
【技術分野】
【０００１】
本発明は、内装及び外装工事等に使用される昇降式移動足場において、作業床の面積を可変にした昇降式移動足場に関する。
【背景技術】
【０００２】
昇降式移動足場は、垂直方向の伸縮が可能であるため、その高さを低くして保管や運搬ができるとともに、所定場所まで水平方向に移動させ、その場所で固定した後に、所定高さまで昇降式移動足場を伸張し、その高さを固定することによって、所定場所の所定高さにおいて、内装及び外装工事等の作業をすることができる。
【０００３】
このような昇降式移動足場の水平方向の移動と固定に関しては、昇降式移動足場の接地面にブレーキロック付き車輪を備えるとともにアウトリガーでさらに固定することによってなされることが多い。そして、垂直方向の伸縮と固定に関しては、作業床を直接上下し固定するか、又は、折り畳み可能なアームの上に作業床を設置してそのアームを伸縮し固定することによってなされる。
【０００４】
このような昇降式移動足場を所定場所において伸張した後に、作業員が高所で作業をすることになる。したがって、作業員の高所からの転落を防止するために、作業床には手摺が必要となる。作業床の手摺は、所定場所まで移動する前に予め昇降式移動足場に取り付けておいても良いが、所定場所まで移動した後に取り付けても良い。この場合、手摺の取付は昇降式移動足場を垂直方向に収縮した状態、すなわち、作業床が低所にある状態で安全に手摺の取付作業をした後、昇降式移動足場を垂直方向に伸張することによって、作業員が高所で安全に作業をすることができる。
【０００５】
また、このような昇降式移動足場は垂直方向の伸縮が可能であるため、昇降式移動足場を保管する際には、その高さを低くすることによって、高さ方向の収納スペースを節約することができる。昇降式移動足場を昇降可能にすることによって高さを低くするだけでなく、さらに昇降式移動足場の作業床を折り畳み可能にすることによって幅方向の収納スペースを節約することも提案されている。
【０００６】
特許文献１には、接地面に車輪を備える矩形の基台フレーム（枠体）の上に、複数段の水平フレーム（枠体）をＸ字形のスライダークランクを介して順に積み重ね、そして、最上段の水平フレームの上に作業床を設置し、さらに、作業床への昇降用梯子を備える昇降式移動足場が開示されている。そのＸ字形のスライダークランクは折り畳みと伸張ができるものであり、そのＸ字形のスライダークランクを手動で伸縮することによって、作業床の昇降を可能とし、そしてその高さを段階的に固定することが可能である。
【０００７】
図１及び図２は、特許文献１で開示された技術に基づき実用化されている昇降式移動足場の一例である。(a)が正面図、(b)が側面図である。図１は昇降式移動足場を所定場所に固定した状態で、水平フレームを垂直方向に伸張したときの状態を示し、図２は同じく所定場所に固定した状態で、水平フレームを垂直方向に折り畳んだときの状態を示す。
【０００８】
この昇降式移動足場は、接地面に車輪を備えるとともに所定場所に移動かつ固定可能な矩形の基台フレーム５と、複数段の昇降自在な水平フレーム４０と作業床６０からなる。
【０００９】
矩形の基台フレーム（枠体）５の四隅には支柱７が立設され、その下端部にはブレーキロック付き車輪６が取り付けられている。また、各支柱７の側面には、先端にジャッキベース７５を備えたアウトリガー７６が取り付けられ、各支柱７を軸として水平方向に回動しうるように設置されている。この昇降式移動足場の移動は、車輪のブレーキロックを外し、ジャッキベース７５を持ち上げた状態のまま、昇降式移動足場を水平方向に押すことによってなされる。そして、所定の場所まで移動した後、車輪のブレーキロックを掛けるとともに、ジャッキベース７５を接地させることで所定の場所で固定する。
【００１０】
矩形の基台フレーム５と作業床６０の間には、複数段の昇降自在な矩形状の水平フレーム４０が設けられ、上下に隣接する水平フレーム４０の間には、２本の斜材を交叉し軸着してなるＸ字形のスライダークランク５０が縦方向に２列立設されている。
【００１１】
最上部の水平フレーム４０の上には、作業床６０が設置される。作業床６０の四隅には、手摺り柱６２が設置され、そして、隣接する手摺り柱６２の間には手摺りバー６３が取り付けられ、作業床６０の四辺には巾木６４が取り付けられて、作業台の組み立てが完成する。なお、その作業台の組み立ては、移動前に行っても良いし、移動後に行っても良い。
【００１２】
この昇降式移動足場の昇降は、上下に隣接する水平フレーム４０の間に設けられたＸ字形のスライダークランク５０の２本の斜材を水平方向にスライドさせることによってなされる。すなわち、Ｘ字形のスライダークランクが上方向に伸張したときは、その上側の水平フレームが上昇し、逆に、Ｘ字形のスライダークランクが下方向に収縮したときは、その上側の水平フレームが下降する。
【００１３】
そして、昇降式移動足場を上昇させるときは、Ｘ字形のスライダークランクを上方向に伸張させた後に、上下に隣接する水平フレーム４０の両側面に、長材７０と横材７１からなる昇降用梯子が取り付けられ、この昇降用梯子で上部の水平フレーム４０を支持することによって上部の水平フレーム４０の高さが固定される。この操作を、作業床６０が所定の高さに上昇するまで、各段のスライダークランクにおいて繰り返す。逆に、昇降式移動足場を下降させるときは、先に長材７０と横材７１からなる昇降用梯子が取り外され、その後、その段のＸ字形のスライダークランクを下方向に収縮させて、上部の水平フレーム４０の高さを下げ、留め具５２によってその高さが固定される。この操作を、作業床６０が所定の高さに下降するまで、各段のスライダークランクにおいて繰り返す。
【００１４】
最下段のＸ字形のスライダークランク５０を例にとって、Ｘ字形のスライダークランクの構造を詳述すると、その２本の斜材の交叉部がピン５１によって軸着されるとともに、２本の斜材の左端がそれぞれ上段及び下段の水平フレーム４０の長辺に軸着されている。したがって、２本の斜材の右端がそれぞれ下段及び上段の水平フレーム４０の長辺に沿って水平方向に移動かつ固定可能な構造であり、スライダークランクを上方向に伸張した後は、昇降用梯子の長材７０により上下の２つの水平フレーム４０を支持することによって水平フレームは所定高さで固定することができる。また、スライダークランクを下方向に収縮した後は、留め具５２を上方に回動させて内側に固定することによって、上側の水平フレーム４０をその高さで固定することができる。
【００１５】
このようにして、作業員は、この昇降式移動足場を所定の場所まで移動させ、その場所で昇降式移動足場を固定した後、各段のＸ字形のスライダークランク５０の伸張作業をすることによって、作業床６０を所定高さまで上昇させ固定した後、昇降用梯子を登って作業床に上がり、内装及び外装工事等の作業をすることになる。
【００１６】
そして、特許文献２〜４には、昇降式移動足場の作業床を折り畳み可能にすることによって、保管時において、幅方向の収納スペースを節約することが提案されている。
【００１７】
すなわち、特許文献２には、作業床を１個の本体部と下方へ９０゜回動可能な２個の拡幅部から構成してなる昇降式移動足場が開示されている。これは、保管時には、２個の拡幅部をそれぞれ９０゜下方に回動させることによって、昇降式移動足場の幅を短くして収納することができるものである。そして、作業時には、２個の拡幅部を水平状態まで９０゜回動させ、かつ、これらの拡幅部をステーによって突っ張ることによって２個の拡幅部を水平状態に固定し、もって、１個の本体部と２個の拡幅部からなる作業床として用いることができるものである。
【００１８】
次に、特許文献３には、同様に、作業床を１個の本体部と下方へ９０゜回動可能な２個の拡幅部から構成してなる昇降式移動足場が開示されている。この昇降式移動足場は、作業時において、２個の拡幅部を水平状態まで９０゜回動させた後に、これらの拡幅部の支持材として長さ調節可能であって接地面に車輪を備える伸縮脚を拡幅部の下部に設置し、かつ、この伸縮脚と本体部を支持する中央脚との間を斜材で固定することによって２個の拡幅部を水平状態に固定するものである。
【００１９】
そして、特許文献４には、作業床を１個の本体部と上方へ１１０゜程度回動可能な２個の拡幅部から構成してなる昇降式移動足場が開示されている。これは、保管時には、２個の拡幅部をそれぞれ１１０゜程度上方に回動させることによって、昇降式移動足場の幅を短くして収納することができるものである。そして、作業時には、２個の拡幅部を水平状態までそれぞれ１１０゜程度回動させた後に、これらの拡幅部の支持材として、予め拡幅部の下部に取り付けられた、長さ調節可能であって接地面に車輪を備える伸縮脚を設置させ、かつ、この伸縮脚と本体部を支持する中央脚との間をリンク材で固定することによって２個の拡幅部を水平状態に固定するものである。
【００２０】
【特許文献１】実公平６−３６１６７号公報
【特許文献２】登録実用新案第３０３３４２０号公報
【特許文献３】実開平７−１０２２３号公報
【特許文献４】実開平９−１３７５９９号公報
【発明の開示】
【発明が解決しようとする課題】
【００２１】
特許文献１に開示されている昇降式移動足場は、一般建築物内での使用と移動を可能にすべく、その重量や大きさが制限されている。特に、昇降式移動足場の幅は、作業床の大きさに依存するが、一般建築物内の扉の幅（約０．９ｍ）による制約や、エレベーターに積載可能な大きさという制約から、作業床の面積はおのずから制限されている。一般的には、その作業床の大きさは、１．５ｍ×０．５２ｍとするのが多い。
【００２２】
一方、高所作業における作業台の最大積載荷重Ｌ（ｋｇｆ）は、社団法人仮設工業会の認定基準があり、作業床の面積をＡ（ｍ２）とすると、最大積載荷重Ｌ（ｋｇｆ）は下式(1)によって、決定される。
【００２３】
Ｌ＝７５×（Ａ＋１）・・・・・・・・(1)式
ここで、Ｌは作業台の最大積載荷重（ｋｇｆ）を、そして、Ａは作業床の面積（ｍ２）を、それぞれ、意味する。
【００２４】
したがって、作業床の大きさが１．５ｍ×０．５２ｍの昇降式移動足場に(1)式を当てはめると、その作業台の最大積載荷重Ｌは１３３ｋｇｆとなる。したがって、作業台において作業できる人員は、工具等の重量も考慮すると、１人の搭乗が限度である。
【００２５】
しかしながら、高所での作業には、天井裏の配管作業など、１人の作業員では困難なものもある。
【００２６】
このように、従来の昇降式足場は、作業床の大きさの関係で作業員が１人しか搭乗することができないという問題があった。
【００２７】
本発明は、このような問題を解決するためのものであり、昇降式足場の作業床を折り畳み可能とすることによって、一般建築物内の扉の幅の通り抜けやエレベーターへの積載を可能とするとともに、作業台への２人以上の作業員の搭乗を可能とする昇降式移動足場を提供することを目的とする。
【００２８】
なお、昇降式足場の作業床を折り畳みにしてなる昇降式足場が、特許文献２〜４において提案されているものの、昇降式足場の保管時の収納スペースを節約するためのものであって、一般建築物内の扉の幅の通り抜けやエレベーターへの積載を可能とすることは全く考慮されておらず、これらの折り畳み式作業床を有する昇降式足場をそのまま用いることはできない。
【００２９】
すなわち、これらの特許文献２〜４に開示された昇降式移動足場はいずれも、拡幅部を折り畳んだ場合に、作業床の拡幅部の全体又はその拡幅部を支持する伸縮脚が本体部の幅よりも外側に出っ張ることになるため、一般建築物内の扉の幅の通り抜けやエレベーターへの積載は困難である。また、いずれも装置構成が複雑であり、操作性が悪い上に、拡幅部の固定方法に不安が残るため、安全性の問題も残る。
【課題を解決するための手段】
【００３０】
本発明者らは、一般建築物内の扉の幅の通り抜けやエレベーターへの積載が可能であり、かつ、作業台への２人以上の作業員の搭乗が可能な昇降式移動足場を開発するため、種々検討を重ねた。その結果、次の(a)〜(j)の知見を得た。
【００３１】
(a) 一般建築物内の扉の幅の通り抜けやエレベーターへの積載を可能とするためには、
昇降式移動足場の作業床を本体部と拡幅部に分割し、拡幅部を本体部側へ折り畳み可能とすればよい。ここで、作業床の本体部は水平に固定して設置し、拡幅部は本体部の側方に１個又は複数個設け、本体部と拡幅部を回動可能に接続すればよい。例えば、ヒンジ構造を介して接続することによって、拡幅部を本体部に対して回動可能にすることができる。なお、昇降式移動足場の矩形の基台フレーム（枠体）の四隅の支柱の側面には、先端にジャッキベースを備えたアウトリガー７６が取り付けられているが、これは支柱を軸として水平方向に回動しうるから、一般建築物内の扉の幅の通り抜けやエレベーターへの積載の際に、先端のジャッキベースが出っ張ることはないので、邪魔にはならない。
【００３２】
(b) 昇降式移動足場の作業台への２人以上の作業員の搭乗を可能とするためには、一般建築物内の扉の幅の通り抜けやエレベーターへの積載を終えた後、作業床の拡幅部を外側に回動し、本体部と拡幅部からなる作業床に展開して作業床の面積Ａを増加すればよい。作業床の面積Ａを増加すれば作業台の最大積載荷重Ｌを増やすことができるので、その分、作業員の数を増やすことができる。
【００３３】
(c) 特許文献２には、作業床を１個の本体部と下方へ９０゜回動可能な２個の拡幅部から構成してなる昇降式移動足場が開示されているが、作業時には、２個の拡幅部を水平状態まで９０゜回動させたのち、これらの拡幅部をステーによって突っ張る必要があるため、装置構成が複雑になり、操作性が悪い上に、ステーによる突っ張りが不十分の場合には安全性の問題が残る。
【００３４】
(d) 特許文献３には、作業床を１個の本体部と下方へ９０゜回動可能な２個の拡幅部から構成してなる昇降式移動足場が開示されているが、作業時には、２個の拡幅部を水平状態まで９０゜回動させた後に、長さ調節可能であって接地面に車輪を備える伸縮脚によってこれらの拡幅部を支持するとともに、この伸縮脚と本体部を支持する中央脚との間を斜材で固定する必要があるため、装置構成が複雑になり、操作性が悪い上に、伸縮脚及び斜材による固定が不十分の場合には安全性の問題が残る。
【００３５】
(e) 特許文献４には、作業床を１個の本体部と上方へ１１０゜程度回動可能な２個の拡幅部から構成してなる昇降式移動足場が開示されているが、作業時には、２個の拡幅部を水平状態までそれぞれ１１０゜程度回動させた後に、予め拡幅部の下部に取り付けられた、長さ調節可能であって接地面に車輪を備える伸縮脚によってこれらの拡幅部を支持するとともに、この伸縮脚と本体部を支持する中央脚との間をリンク材で固定する必要があるため、装置構成が複雑になり、操作性が悪い上に、伸縮脚及びリンク材による固定が不十分の場合には安全性の問題が残る。
【００３６】
(f) 昇降式移動足場の作業床の本体部と拡幅部がともに水平の状態に展開されている場面から、作業床の拡幅部を本体部の側に折り畳む際の回動方向としては、下方と上方の２つが考えられるが、下方に回動した場合には、作業床の本体部を下から支持する部材に拡幅部がぶつかる形となるため、拡幅部を収納するスペースを確保するのが困難である。拡幅部を収納するスペースを確保することは可能ではあるが、そのためには装置構成が複雑とならざると得ない。これに対して、上方に回動した場合には、作業床の本体部の上部空間に拡幅部を位置させることができるため、拡幅部を収納するスペースを確保するのが容易となり、装置構成も簡易なもので足りる。したがって、拡幅部は、本体部に対して上方に回動するように接続するのがよい。
【００３７】
(g) 昇降式移動足場の作業床の拡幅部が本体部の上部空間に位置している場面から、拡幅部を上方に回動させて、本体部と拡幅部がともに水平の状態になるように拡幅部を展開する際には、拡幅部が本体部と同一の水平面になったときに拡幅部の回動が停止されるようにするのが好ましい。このためには、拡幅部の基部の下部に当て材を設置すればよい。そして、拡幅部が本体部と同一の水平面になったときに、拡幅部の基部の下部に設置された当て材が作業床の本体部を構成する部材の側面又は底面に当たるようにすればよい。このように当て材を設置することによって、それだけで拡幅部を展開したときの固定が可能となるので、ステーや斜材やリンク材も不要となるし、安全性も高い。また、折り畳みの作業性にも優れている。
【００３８】
(h) 作業床の拡幅部の基部の下部に当て材を設置する代わりに、作業床の本体部を構成する部材の側面に当て材を設置してもよい。この場合は、拡幅部が本体部と同一の水平面になったときに、作業床の本体部を構成する部材の側面に設置された当て材が拡幅部の側面又は底面に当たるようにすればよい。この場合も、当て材を設置するだけで拡幅部を展開したときの固定が可能となるので、斜材やリンク材も不要となるし、安全性も高い。また、折り畳みの作業性にも優れている。
【００３９】
(i) 作業床の拡幅部を本体部側に折り畳んだ場合に、拡幅部の一部でも本体部の幅の外側に出っ張らないようにするのが好ましい。すなわち、作業床の拡幅部を本体部側に折り畳んだとき、拡幅部の全体が本体部の上に収納されることが好ましい。また、作業床の拡幅部は、それを支持する脚は有しないものが好ましい。
【００４０】
(j) 作業床の拡幅部は、拡幅部を展開したときには本体部と同一の水平面になっており、そして、拡幅部を折り畳んだときには本体部の上に安定的に載置されるのが好ましいことから、拡幅部の回動可能な角度は最大１８０゜であることが好ましい。
【００４１】
本発明に係る、作業台への２人以上の作業員の搭乗が可能な昇降式移動足場は、これらの知見に基づいて完成したものであり、本発明は次の(1)〜(6)の昇降式移動足場を要旨とする。
【００４２】
(1) 接地面に車輪を備えるとともに所定場所に移動かつ固定可能な矩形の基台フレームと、複数段の昇降自在な水平フレームと作業床からなる昇降式移動足場であって、作業床は水平の本体部と本体部の側方に設けられた１個又は複数個の拡幅部からなり、拡幅部は本体部に対して上方にのみ回動可能に接続されるとともに、当て材が拡幅部の基部の下部に設置されていることを特徴とする昇降式移動足場。
【００４３】
(2) 作業床の拡幅部を外側に回動して本体部と拡幅部からなる作業床に展開する際に、拡幅部の基部の下部に設けられた当て材が作業床の本体部の側面又は底面にあたることによって、作業床の拡幅部が本体部と同一の水平面になったときに拡幅部の回動が停止されることを特徴とする、上記(1)の昇降式移動足場。
【００４４】
(3) 接地面に車輪を備えるとともに所定場所に移動かつ固定可能な矩形の基台フレームと、複数段の昇降自在な水平フレームと作業床からなる昇降式移動足場であって、作業床は水平の本体部と本体部の側方に設けられた１個又は複数個の拡幅部からなり、拡幅部は本体部に対して上方にのみ回動可能に接続されるとともに、当て材が作業床の本体部の側面に設置されていることを特徴とする昇降式移動足場。
【００４５】
(4) 作業床の拡幅部を外側に回動して本体部と拡幅部からなる作業床に展開する際に、作業床の本体部の側面に設置された当て材が作業床の拡幅部の側面又は底面にあたることによって、作業床の拡幅部が本体部と同一の水平面になったときに拡幅部の回動が停止されることを特徴とする、上記(3)の昇降式移動足場。
【００４６】
(5) 作業床の拡幅部を内側に回動して本体部の側に折り畳んだときに、拡幅部の全体が本体部の上に収納されることを特徴とする、上記(1)〜(4)のいずれかの昇降式移動足場。
【００４７】
(6) 作業床の拡幅部の回動可能な角度が最大１８０゜であることを特徴とする、上記(5)の昇降式移動足場。
【発明の効果】
【００４８】
本発明の昇降式移動足場は、昇降式足場の作業床を折り畳むことによって一般建築物内の扉の幅の通り抜けやエレベーターへの積載を可能とするので、作業台への２人以上の作業員の搭乗を可能とすることができる。
【発明を実施するための最良の形態】
【００４９】
以下、図面を用いて、本発明に係る昇降式移動足場を説明する。
【実施例１】
【００５０】
図３及び図４は、本発明に係る昇降式移動足場の一例であり、作業床の拡幅部を外側に回動して作業床の拡幅部を展開し、拡幅部が本体部と同一の水平面となっている状態を示す。(a)が正面図、(b)が側面図である。図３は水平フレームの間隔を広げて垂直方向に伸張したときの状態を示し、図４は水平フレームの間隔を狭めて垂直方向に折り畳んだときの状態を示す。
【００５１】
この昇降式移動足場は、接地面に車輪を備えるとともに所定場所に移動かつ固定可能な矩形の基台フレーム５と、複数段の昇降自在な水平フレーム４０と作業床６０からなるものであり、作業床６０は１個の本体部６５と２個の拡幅部６６から構成されている。
【００５２】
矩形の基台フレーム（枠体）５の四隅には支柱７が立設され、その下端部にはブレーキロック付き車輪６が取り付けられている。また、各支柱７の側面には、先端にジャッキベース７５を備えたアウトリガー７６が取り付けられ、各支柱７を軸として水平方向に回動しうるように設置されている。この昇降式移動足場の移動は、車輪のブレーキロックを外し、ジャッキベース７５を持ち上げた状態のまま、昇降式移動足場を水平方向に押すことによってなされる。そして、所定の場所まで移動した後、車輪のブレーキロックを掛けるとともに、ジャッキベース７５を接地させることで所定の場所で固定することができる。
【００５３】
矩形の基台フレーム５と作業床６０の間には、昇降自在な矩形状の水平フレーム４０が複数段設けられ、上下に隣接する水平フレーム４０の間には、２本の斜材を交叉し軸着してなるＸ字形のスライダークランク５０が縦方向に２列立設されている。
【００５４】
この昇降式移動足場の昇降は、上下に隣接する水平フレーム４０の間に設けられたＸ字形のスライダークランク５０の２本の斜材を水平方向にスライドさせることによってなされる。すなわち、Ｘ字形のスライダークランクが上方向に伸張したときは、その上側の水平フレームが上昇し、逆に、Ｘ字形のスライダークランクが下方向に収縮したときは、その上側の水平フレームが下降する。
【００５５】
なお、昇降式移動足場を上昇させるときは、Ｘ字形のスライダークランクを上方向に伸張させた後に、水平フレーム４０の両側面に、長材７０と横材７１からなる昇降用梯子が取り付けられ、この昇降用梯子で水平フレームを支持することによって水平フレームの高さが固定される。逆に、昇降式移動足場を下降させるときは、先に長材７０と横材７１からなる昇降用梯子が取り外され、その後、Ｘ字形のスライダークランクを下方向に収縮させる。そして、その後、留め具５２を上方に回動させて内側に固定することによって、上側の水平フレーム４０をその高さで固定することができる。
【００５６】
このように、本発明に係る昇降式移動足場は、接地面に車輪を備えるとともに所定場所に移動かつ固定可能な矩形の基台フレームと、複数段の昇降自在な水平フレームと作業床からなる点では、図１及び図２に示したものと同じであるが、最上部の水平フレーム４０の上に設置される作業床６０が、１個の水平の本体部６５と、この本体部６５のそれぞれの側方に設けられた２個の拡幅部６６から構成されており、そして、本体部６５と拡幅部６６の間にはヒンジ構造６７が設けられていて、拡幅部６６はこのヒンジ構造６７を介して、本体部６５に対して上方にのみ回動可能に接続されている点と、当て材６８が拡幅部６６の基部の下部に設置されている点が異なる。
【００５７】
なお、本発明に係る昇降式移動足場においても、最上部の水平フレーム４０の上に設置される作業床６０には、その四隅には、手摺り柱６２が設置され、そして、手摺り柱６２の間には手摺りバー６３が取り付けられ、作業床の四辺には巾木６４が取り付けられて、作業台の組み立てが完成する点は同じであり、その作業台の組み立ては、移動前に行っても良いし、移動後に行っても良い。
【００５８】
作業員は、この昇降式移動足場を所定の場所まで移動させ、その場所で昇降式移動足場を固定した後、各段のＸ字形のスライダークランク５０の伸張作業をすることによって、作業床６０を所定高さまで上昇させ固定した後、昇降用梯子を登って作業床に上がり、内装及び外装工事等の作業をすることになる。
【００５９】
この昇降式移動足場の移動の途中に、一般建築物内の扉の幅の通り抜けやエレベーターへの積載を必要とする場合があるが、この場合は、最上部の水平フレーム４０の上に設置される作業床６０のうち、拡幅部６６の１個又は２個を上方に回動させ、内側の水平の本体部６５の上に折り畳むことによって、作業床６０の幅を狭くすることができるため、一般建築物内の扉の幅の通り抜けやエレベーターへの積載が可能となる。
【００６０】
図５は、昇降式移動足場を垂直方向に折り畳み、留め具を固定することによって、水平フレームをその高さで固定した場合であって、作業床の拡幅部を内側に折り畳んだときの状態を示す。(a)が正面図、(b)が側面図、そして、(c)が平面図である。なお、作業台を構成する部材のうち、手摺り柱、手摺りバーおよび巾木は取り外されている。
【００６１】
そして、図６は、図５(c)のＡ−Ａ矢視の作業床近傍の拡大図である。ここで、実線による拡幅部表示は作業床の拡幅部を内側に折り畳んだときの状態を、そして、破線による表示は作業床の拡幅部を外側に展開したときの状態を示す。すなわち、この例では、拡幅部の回動角度は１８０゜であり、拡幅部を内側に折り畳んだときに拡幅部の全体が本体部の上に収納されている。
【００６２】
最上部の水平フレーム４０の上に設置される作業床６０のうち、本体部６５のそれぞれの側方に設けられた２個の拡幅部６６が、ヒンジ構造６７を介して、本体部６５に対して上方にのみ回動可能に接続されている。これらの２個の拡幅部６６は内側に折り畳んで、水平の本体部６５の上に載置することができるため、２個の拡幅部の幅の分だけ、作業床６０の幅を狭くすることができる。
【００６３】
そして、矩形の基台フレーム５の四隅に立設された支柱７の側面には、先端にジャッキベース７５を備えたアウトリガー７６が取り付けられているが、これも、各支柱７を軸として水平方向に回動しうるように設置されているので、ジャッキベース７５を備えたアウトリガー７６を移動式足場の前後に移すことが可能であり、もって作業床の本体部６５の幅の内側に移すことができる。
【００６４】
以上の操作をすることによって、移動式足場の全体の幅を狭くすることが可能となるので、一般建築物内の扉の幅の通り抜けやエレベーターへの積載をすることができる。
【００６５】
次に、このように移動式足場の全体の幅を狭くすることによって、一般建築物内の扉の幅の通り抜けやエレベーターへの積載を終えた移動式足場は、所定の場所まで移動した後に、ブレーキロック付き車輪６にブレーキを掛け、ジャッキベース７５を備えたアウトリガー７６を作業床の本体部６５の幅の外側に回動させて、移動式足場の左右に移すことで移動式足場を固定する。
【００６６】
その後、移動式足場の最上部の水平フレーム４０の上に設置されている作業床６０のうち、内側の水平の本体部６５の上に折り畳まれた拡幅部６６を、ヒンジ構造６７を介して、上方かつ外向きに回動して本体部と拡幅部からなる作業床に展開する。このとき、拡幅部の基部の下部に設けられた当て材６８が作業床の本体部の側面又は底面にあたることによって、作業床の拡幅部が本体部と同一の水平面になったときに拡幅部の回動が停止されるので、作業性がよい。
【００６７】
図７は、本発明に係る昇降式移動足場の一態様であり、作業床の拡幅部を外側に展開して、作業床の拡幅部が本体部と同一の水平面になったときの状態を示す。(a)が正面図、(b)が側面図、そして、(c)が平面図である。なお、作業台を構成する部材のうち、手摺り柱、手摺りバーおよび巾木は、まだ取り付けられていない状態である。
【００６８】
そして、図８は、図７(c)のＡ−Ａ矢視の作業床近傍の拡大図である。ここで、実線による拡幅部表示は作業床の拡幅部を外側に展開したときの状態を、そして、破線による表示は作業床の拡幅部を内側に折り畳んだときの状態を示す。  最上部の水平フレーム４０の上に設置されている作業床６０は本体部６５と２個の拡幅部６６からなるが、いずれも同一の水平面にあるため、合わせてフラットな作業床６０を構成している。しかも、拡幅部の基部の下部に設けられた当て材６８が作業床の本体部の側面にあたることによって、拡幅部の回動が確実に停止されるとともに、その拡幅部の重みによって本体部に固定される。
【００６９】
このようにして、本体部６５と拡幅部からなる作業床６０は同一の水平面に展開された後、その四隅には、手摺り柱が設置され、そして、手摺り柱の間には手摺りバーが取り付けられ、作業床の四辺には巾木が取り付けられて、作業台の組み立てが完成する。
【００７０】
作業員は、続いて、各段のＸ字形のスライダークランクの伸張作業をすることによって、作業床を所定高さまで上昇させ固定した後、昇降用梯子を登って作業床に上がり、内装及び外装工事等の作業をすることになる。このとき、既に手摺り柱、手摺りバーおよび巾木が作業床に取り付けられて作業台を形成しているため、作業床から転落する恐れは小さい。また、この作業床６０は拡幅部６６の幅の分だけ面積が広くなっているため、作業員は同時に２人又はそれ以上の人数が作業台の上に搭乗することができる。
【００７１】
なお、ここでは、作業床の拡幅部を本体部１個に対して２個用いたが、本体部の面積と作業員の同時搭乗が必要とされる人数から割り出される作業床面積との差によって、拡幅部の個数を１個又は３個以上用いても良い。
【００７２】
また、ここでは、拡幅部の基部の下部に設けられた当て材が、作業床の本体部の側面にあたることによって、拡幅部の回動を停止しているが、図９に示すように、作業床の本体部の側面に代えて、本体部の底面に当たるように設計しても良い。
【実施例２】
【００７３】
本発明に係る昇降式移動足場の他の例について説明する。
【００７４】
この昇降式移動足場は、接地面に車輪を備えるとともに所定場所に移動かつ固定可能な矩形の基台フレームと、複数段の昇降自在な水平フレームと作業床からなる点だけでなく、最上部の水平フレーム４０の上に設置される作業床６０が、１個の水平の本体部６５と、この本体部６５のそれぞれの側方に設けられた２個の拡幅部６６から構成されており、そして、本体部６５と拡幅部６６の間にはヒンジ構造６７が設けられていて、拡幅部６６はこのヒンジ構造６７を介して、本体部６５に対して上方にのみ回動可能に接続されている点も、実施例１に示す昇降式移動足場と同じである。
【００７５】
実施例１に示す昇降式移動足場と異なる点は、当て材６８が作業床の拡幅部６６の基部の下部ではなく、図１０に示すように、本体部の側面に設置されていることである。
【００７６】
この実施例２に係る昇降式移動足場も、実施例１に係る昇降式移動足場と同様に、移動式足場の全体の幅を狭くすることが可能となるので、一般建築物内の扉の幅の通り抜けやエレベーターへの積載をすることができる。また、この作業床は拡幅部の幅の分だけ面積が広くなっているため、作業員は同時に２人又はそれ以上の人数が作業台の上に搭乗することができる。作業床の拡幅部の個数も、実施例１と同様に、本体部１個に対して１個又は２個以上用いても良い。
【００７７】
なお、ここでは、作業床の本体部の側面に設けられた当て材６８が、拡幅部の基部の下部にあたることによって、拡幅部の回動を停止しているが、図１１に示すように、作業床の本体部の側面に突起部を設け、この突起部の上部に設けられた当て材６８が、拡幅部の底面に当たるように設計しても良い。
【００７８】
図１１のように、作業床の本体部の側面に突起部を設けて、このこの突起部の上部に当て材６８を設けた場合には、作業床の拡幅部を内側に折り畳んだときに、作業床の本体部の幅より少々はみ出すことになるが、一般建築物内の扉の幅やエレベーターの扉の幅によっては、図１１に示す当て材６８を用いることができる。
【００７９】
なお、図１０あるいは実施例１に示された当て材６８は、作業床の拡幅部を内側に折り畳んだときに、作業床の本体部の幅からはみ出す部分はないので、好ましい。
【産業上の利用可能性】
【００８０】
本発明によれば、昇降式足場の作業床を折り畳むことによって一般建築物内の扉の幅の通り抜けやエレベーターへの積載ができ、そして、作業台への２人以上の作業員の搭乗ができる昇降式移動足場を提供することができる。
【図面の簡単な説明】
【００８１】
【図１】特許文献１で開示された技術に基づき実用化されている昇降式移動足場の一例であり、垂直方向に伸張した状態を示す。(a)が正面図、(b)が側面図である。
【図２】特許文献１で開示された技術に基づき実用化されている昇降式移動足場の一例であり、垂直方向に折り畳んだ状態を示す。(a)が正面図、(b)が側面図である。
【図３】本発明に係る昇降式移動足場の一例であり、垂直方向に伸張した場合であって、作業床の拡幅部を外側に回動して作業床の拡幅部を展開し、拡幅部が本体部と同一の水平面となっている状態を示す。(a)が正面図、(b)が側面図である。
【図４】本発明に係る昇降式移動足場の一例であり、垂直方向に折り畳んだ場合であって、作業床の拡幅部を外側に回動して作業床の拡幅部を展開し、拡幅部が本体部と同一の水平面となっている状態を示す。(a)が正面図、(b)が側面図である。
【図５】昇降式移動足場を垂直方向に折り畳んだ場合であって、作業床の拡幅部を内側に折り畳んだときの状態を示す。(a)が正面図、(b)が側面図、そして、(c)が平面図である。
【図６】図５(c)のＡ−Ａ矢視の作業床近傍の拡大図である。
【図７】本発明に係る昇降式移動足場の一態様であり、作業床の拡幅部を外側に展開した状態を示す。(a)が正面図、(b)が側面図、そして、(c)が平面図である。
【図８】図７(c)のＡ−Ａ矢視の作業床近傍の拡大図である。
【図９】作業床の拡幅部の基部の下部に設けられた当て材６８が本体部の底面に当たる状態を示す。
【図１０】作業床の本体部の側面に設置された当て材６８が拡幅部６６の基部の下部に当たる状態を示す。
【図１１】作業床の本体部の側面に突起部を設け、この突起部の上部に設けられた当て材６８が、拡幅部の底面に当たる状態を示す。
【符号の説明】
【００８２】
５  基台フレーム
６  ブレーキロック付き車輪
７  支柱
２０  垂直な円管部材
４０  水平フレーム
５０  Ｘ字形のスライダークランク
５１  ピン
５２  留め具
６０  作業床
６２  手摺り柱
６３  手摺りバー
６４  巾木
６５  作業床の本体部
６６  作業床の拡幅部
６７  ヒンジ構造
６８  当て材
７０  梯子の長材
７１  梯子の横材
７５  ジャッキベース
７６  アウトリガー
【図１】
2008214983.tif 000003
【図２】
2008214983.tif 000004
【図３】
2008214983.tif 000005
【図４】
2008214983.tif 000006
【図５】
2008214983.tif 000007
【図６】
2008214983.tif 000008
【図７】
2008214983.tif 000009
【図８】
2008214983.tif 000010
【図９】
2008214983.tif 000011
【図１０】
2008214983.tif 000012
【図１１】
2008214983.tif 000013